(57)【要約】【課題】  脚を容易に脚開口部に通すことができると共に横漏れを防止する。【解決手段】  股下部４で連続した前身頃２と後見頃３との両側縁部を一体的に接合し、胴開口部７及び左右一対の脚開口部５，６が設けられたパンツ型おむつであり、前身頃２と後見頃３との接合部６に、脚開口部５，６と連続する非接合部となる切欠部２１を胴開口部７側に向かって設け、足先を入れ易くし、更に、この切欠部２１を横断するように調整バンド２１を設けることで、切欠部２１が設けられた脚開口部５，６の締め具合を調整できるようにする。【選択図】  図３
2005131131.tif 000002
【特許請求の範囲】
【請求項１】
股下部で連続した前身頃と後見頃との両側縁部を一体的に接合し、胴開口部及び左右一対の脚開口部が設けられたパンツ型おむつにおいて、
上記前身頃と上記後見頃との接合部又は接合部近傍に、上記脚開口部と連続する非接合部を上記胴開口部側に向かって設けたことを特徴とするパンツ型おむつ。
【請求項２】
更に、上記非接合部に延在する調整バンドが設けられ、
上記調整バンドは、一端が上記前身頃と後見頃の何れか一方に固定され、他端が自由端とされ、上記前身頃と後見頃の何れか他方に着脱可能であり、上記脚開口部の開口径を調整可能としたことを特徴とする請求項１記載のパンツ型おむつ。
【請求項３】
更に、上記前身頃と後見頃の内面に、少なくとも一部が上記脚開口部に沿うように起立カフスが設けられていることを特徴とする請求項２記載のパンツ型おむつ。
【請求項４】
上記調整バンドの一端は、上記起立カフスに固定されていることを特徴とする請求項３記載のパンツ型おむつ。
【発明の詳細な説明】
【技術分野】
【０００１】
本発明は、使い捨て紙おむつ等に用いられるパンツ型おむつに関する。
【背景技術】
【０００２】
パンツ型おむつは、一般的に、前身頃と後見頃とが設けられたシート体を、股下部で折り曲げ、両側縁部を一体的に接合してなり、胴開口部と一対の脚開口部が設けられている。また、このパンツ型おむつには、おむつの胴回りに弾性部材が設けられ、着用者の胴回りからずれ落ちないようになっている。また、パンツ型おむつの脚開口部の周縁部には、脚開口部を伸縮させる弾性部材が設けられ、脚開口部は、着用時、着用者の脚に密着し、排泄物が横漏れしないようになっている。
【０００３】
このようなパンツ型おむつは、脚開口部の周縁部に、排泄物の横漏れを防止するため、弾性部材が設けられていることから、未着用時、収縮した状態にある。したがって、パンツ型おむつを着用するとき、足先を、脚開口部に通しづらい。特に、パンツ型おむつの使用者は、乳幼児であったり、病人等の要介護者であるから、パンツ型おむつは、はき易い方が良い。
【０００４】
【特許文献１】特開平１１−３３２９１２号公報
【発明の開示】
【発明が解決しようとする課題】
【０００５】
本発明は、以上のような問題点に鑑みてなされたものであり、その目的は、脚を容易に脚開口部に通すことができると共に、脚開口部に脚を通した後引き上げ易くすることができるパンツ型おむつを提供することにある。
【０００６】
また、本発明の目的は、着用者の脚におけるフィット感を良くすると共に、脚開口部からの排泄物の横漏れを防止するパンツ型おむつを提供することにある。
【課題を解決するための手段】
【０００７】
本発明に係るパンツ型おむつは、股下部で連続した前身頃と後見頃との両側縁部を一体的に接合し、胴開口部及び左右一対の脚開口部が設けられたパンツ型おむつであり、前身頃と後見頃との接合部又は接合部近傍に、脚開口部と連続する非接合部を胴開口部側に向かって設け、足先を、脚開口部に通し易く、更に引き上げ易くする。
【０００８】
このパンツ型おむつは、非接合部に延在する調整バンドを設けることで、非接合部によって拡径した脚開口部を大腿部に締め付けることができる。この調整バンドは、脚開口部に沿って延在させることで、着用感が悪くなることを防止することができる。更に、調整バンドは、起立カフスに設けることによって、起立カフスを外側に広げることできる。これにより、起立カフスにより囲まれる領域が広がり、広範囲に亘って排泄物を受け止めることができる。
【発明の効果】
【０００９】
本発明によれば、前身頃と後見頃との接合部又は接合部近傍に、脚開口部と連続する非接合部を胴開口部側に向かって設け、足先を、脚開口部に通し易くし、パンツ型おむつをはき易く又ははかせ易くすることができる。また、脚開口部に脚を通した後引き上げ易くすることができる。更に、非接合部には、調整バンドを設けることで、脚開口部を大腿部に締め付けることができ、横漏れを防止することができる。また、締め具合を調整することができるようにすることで、フィット感を良くすることができる。
【発明を実施するための最良の形態】
【００１０】
以下、本発明を適用したパンツ型おむつを図面を参照して説明する。
【００１１】
このパンツ型おむつ１は、図１乃至図３に示すように、前身頃２と後身頃３とが股下部４を介して一連に連結されており、一方の長辺には、前身頃２と後身頃４に右脚回り部５Ｒ，５Ｒが連続して設けられ、他方の長辺には、前身頃２と後身頃３に左脚周り部６Ｌ，６Ｌが設けられ、短辺には、胴回り部７Ｗ，７Ｗが設けられている。また、前身頃２の側縁部と後身頃３の側縁部は、互いに接合される接合部８Ｒ，８Ｌが設けられている。そして、パンツ型おむつ１は、前身頃２の接合部８Ｒと後身頃３の接合部８Ｒ及び前身頃２の接合部８Ｌと後身頃３の接合部８Ｌとを突き合わせて超音波溶着、熱溶着等で一体的に接合される。前身頃２と後身頃３とが接合部８Ｒ，８Ｌで接合されることによって、パンツ型おむつ１は、前身頃２と後身頃３の右脚回り部５Ｒ，５Ｒによって右脚開口部５が構成され、前身頃２と後身頃３の左脚周り部６Ｌ，６Ｌによって左脚開口部６が構成され、前身頃２と後身頃３の胴回り部７Ｗ，７Ｗによって胴開口部７が構成される。
【００１２】
前身頃２と後身頃３の右脚回り部５Ｒ，５Ｒの側縁部には、右脚開口部５を着用者の右大腿部の付け根部分に密着させるための一又は複数本の弾性糸等で構成された弾性部材１０Ｒが設けられ、前身頃２と後身頃３の左脚周り部６Ｌ，６Ｌの側縁部には、左脚開口部６を着用者の左大腿部の付け根部分に密着させるための一又は複数本の弾性糸等で構成された弾性部材１０Ｌが設けられている。また、前身頃２と後身頃３の胴回り部７Ｗ，７Ｗの側縁部には、胴開口部７を着用者の胴回りに密着させるための一又は複数本の弾性糸等で構成された弾性部材１０Ｗが設けられている。更に、前身頃２の弾性部材１０Ｗの下側には、着用者の腹部及びその背中側に前身頃２及び後身頃３を密着させるための一又は複数本の弾性部材１０Ｂ，１０Ｂが設けられている。
【００１３】
前身頃２と後身頃３に亘る内面の中央部には、排泄物を吸収する吸収体９が配設されている。この吸収体９は、一般に圧縮性、適合性、着用者の皮膚に対して非刺激性であり、液体を吸収しかつ保持することができる材料が用いられており、具体的には、紙綿、吸収性発泡体、吸収性スポンジ、超吸収性重合体、粉砕空気抄造木材パルプ繊維等で形成されている。そして、前身頃２と後身頃３とが股下部４を介して一連に連結されたパンツ型おむつ１は、図４に示すように、内側になる液透過性のトップシート１１と、外側になる液不透過性のバックシート１２とで吸収体９を挟み込むように構成されている。
【００１４】
ここで、トップシート１１は、着用者の皮膚に直接接する側の面を構成するものであり、順応性、柔軟性、非刺激性材料を有することが必要であると共に、吸収体９に排泄物の水分を吸収させるため液透過性である必要がある。そこで、トップシート１１には、天然繊維、合成繊維若しくはこれらの混合物から作られた多孔紙、天然繊維、合成繊維若しくはこれらの混合物から作られた不織布、開口化プラスチックフィルム、多孔発泡体等が用いられる。
【００１５】
また、バックシート１２は、吸収体９が吸収した水分等の液体が外部に漏れないようにし、着用者の外方衣服等を汚さないようにするためのものであり、液不透過性である必要がある。そこで、バックシート１２には、ポリエチレンフィルム等が用いられている。
【００１６】
以上のようなトップシート１１とバックシート１２とは、間に上述の吸収体９を挟み込み、周囲を超音波溶着、熱溶着等で一体的に接合される。
【００１７】
トップシート１１とバックシート１２に挟み込まれた吸収体９の両側縁部には、図５に示すように、排泄物が右脚開口部５と左脚開口部６から着用者の排泄物が横漏れすることを防止する起立カフス１３が設けられている。具体的に、起立カフス１３は、図１に示すように、トップシート１１側であって、右脚回り部５Ｒ，５Ｒと左脚周り部６Ｌ，６Ｌに沿う吸収体９の両側縁部に設けられている。この起立カフス１３は、図５に示すように、先端が吸収体９の中央に向かうように起立して設けられている。また、この起立カフス１３の先端側には、弾性部材１０Ｒが設けられた右脚開口部５及び弾性部材１０Ｌが設けられた左脚開口部６と共に伸縮するように、弾性部材１３Ａが設けられている。このような起立カフス１３は、着用時、着用者の大腿部の付け根付近に密着することで、排泄物の水分等の液体が外に漏れないようにする。この起立カフス１３は、例えば上述のトップシート１１やバックシート１２に用いた材料で形成されており、超音波溶着、熱溶着等で取り付けられる。勿論、起立カフス１３は、トップシート１１やバックシート１２の側縁部を用いてトップシート１１やバックシート１２と一体的に設けるようにしてもよい。
【００１８】
ところで、上述の右脚開口部５と左脚開口部６の周囲には弾性部材１０Ｒ，１０Ｌが設けられていることから、右脚開口部５と左脚開口部６は、未着用時、収縮している。したがって、着用時、着用者は、右脚開口部５と左脚開口部６に足先を通しにくくなる。そこで、このパンツ型おむつ１には、図１乃至図３に示すように、後身頃３の接合部８Ｒ，８Ｌに、右脚回り部５Ｒと左脚周り部６Ｌと連続する切欠部２１を設けている。この切欠部２１は、前身頃２と後身頃３の非接合部となり、実質的に、未着用時における右脚開口部５と左脚開口部６の径を大きくし、着用者が着用時、右脚開口部５と左脚開口部６に脚を通し易く、更に引き上げ易くしている。
【００１９】
なお、上述の切欠部２１は、前身頃２の接合部８Ｒ，８Ｌに設けてもよく、更に、前身頃２と後身頃３の両方に設けてもよい。また、接合部８Ｒ，８Ｌに切欠部２１を設けるのではなく、単に、接合部８Ｒ，８Ｌの脚開口部５，６側を溶着を行わない非接合部を設けるようにしてもよい。更に、接合部８Ｒ，８Ｌを接合した後に、脚開口部５，６側から切り込みを入れて非接合部を設けるようにしてもよい。
【００２０】
一方、右脚開口部５と左脚開口部６の径が大きくなると、弾性部材１０Ｒ，１０Ｌにより右脚開口部５と左脚開口部６に密着する力が弱くなり、着用時に、排泄物等が横漏れするおそれがある。そこで、図３に示すように、後身頃３の右脚回り部５Ｒと左脚周り部６Ｌの近傍には、右脚開口部５と左脚開口部６の径を調整する調整バンド２２が設けられている。この調整バンド２２は、例えば上述のトップシート１１やバックシート１２と同様な材料で形成されており、一端が超音波溶着、熱溶着等でバックシート１２に固定される固定部２２ａとなり、自由端となる他端に、面ファスナ等のメカニカルファスナで構成された接着部２３が設けられている。調整バンド２２は、切欠部２１を横断するように後身頃３の右脚回り部５Ｒと左脚周り部６Ｌの近傍に固定される。調整バンド２２の先端側に設けられる接着部２３は、前身頃の右脚回り部５Ｒと左脚周り部６Ｌの近傍の被接着部２４に接着される。被接着部２４は、バックシート１２が毛羽立ちの大きい材料で形成されているとき、バックシート１２の被接着部２４に直接接着することができる。また、接着部２３は、バックシート１２が毛羽立ちの少ない材料で形成されているとき、被接着部２４に、接着部２３と対となるメカニカルファスナを設けるようにすればよい。
【００２１】
以上のように、調整バンド２２は、右脚開口部５と左脚開口部６と連続した切欠部２１を設け、実質的に右脚開口部５と左脚開口部６の径が大きくなるようにしても、着用後に、右脚開口部５と左脚開口部６を調整バンド２２で締め付けることができることから、右脚開口部５と左脚開口部６から排泄物等が横漏れすることを防止することができる。また、この調整バンド２２は、後身頃３側を固定端とし、前身頃２側を自由端とし、接着部２３を設けたことで、接着部２３の着脱を容易に行うことができる。更に、調整バンド２２により締め付け具合を調整することができ、着用感を着用者の好みに応じて調整することができる。更に、切欠部２１が設けられた部分は、着用者の肌が外気と接することになり、蒸れることを防止することができる。
【００２２】
なお、この調整バンド２２は、図６のように取り付けることもできる。図６の例では、調整バンド２２が脚開口部５，６の開口端に沿うように設けられており、これにより、切欠部２１と脚開口部５，６とで構成される角部が着用者の大腿部に当たって着用感が悪くなることを防止している。
【００２３】
また、図７の例では、調整バンド２２の固定部２２ａがバックシート１２ではなく、起立カフス１３の先端側に取り付けられるようにし、吸収体９の中央側に傾倒するように設けられている起立カフス１３が外側に開くようにしている。起立カフス１３は、吸収体９の幅方向の中央側に先端が傾倒するように設けられており、着用時に、先端が鼠径部に食い込む場合等があったがこれを防止することができる。更に、起立カフス１３が外側に開くことで、起立カフス１３によって囲まれる領域が広がり、広範囲に亘って排泄物を受け止めることができる。
【００２４】
なお、調整バンド２２は、前身頃２側に固定するようにし、後身頃３側で接着部２３を着脱できるようにしてもよい。
【図面の簡単な説明】
【００２５】
【図１】本発明を適用したパンツ型おむつの展開図である。
【図２】本発明を適用したパンツ型おむつの正面図である。
【図３】本発明を適用したパンツ型おむつの側面図である。
【図４】本発明を適用したパンツ型おむつの要部断面図である。
【図５】本発明を適用したパンツ型おむつの要部拡大図である。
【図６】本発明の他の例を説明する側面図である。
【図７】本発明の更に他の例を説明する側面図である。
【符号の説明】
【００２６】
１  パンツ型おむつ、２  前身頃、３  後身頃、４  股下部、５  右脚開口部、５Ｒ  右脚周り部、６  左脚開口部、６Ｌ  左脚周り部、７  胴開口部、７Ｗ  胴回り部、８Ｒ，８Ｌ  接合部、９  吸収体、１０Ｒ，１０Ｌ，１０Ｗ，１０Ｂ  弾性部材、１１  トップシート、１２  バックシート、１３  起立カフス、２１  切欠部、２２ａ  固定部、２３  接着部、２４  被接着部
【図１】
2005131131.tif 000003
【図２】
2005131131.tif 000004
【図３】
2005131131.tif 000005
【図４】
2005131131.tif 000006
【図５】
2005131131.tif 000007
【図６】
2005131131.tif 000008
【図７】
2005131131.tif 000009